(57)【特許請求の範囲】
【請求項１】
全体としてロの字状になるよう４辺の各辺に帯状部材が配置・連結された枠部と、
前記ロの字状の枠部の４ヵ所の隅部のうちの２ヵ所の隅部に直接一体的に設けられフリーアクセスフロアパネルを支持する支持部とを有し、
前記支持部の床に接する側の底面に、互いに直交する２辺の前記帯状部材の延長方向或いはそれと平行方向の互いに直交する２方向に伸び、帯状部材の厚さや幅とほぼ等しい深さや幅を有し、前記枠部と同じ構成の別体の枠部の４ヵ所の隅部のうち前記支持部が直接一体的に設けられていない方の隅部の帯状部材が深さ方向に嵌合可能なミゾを形成したパネル支持構造を備え、
前記パネル支持構造を、前記支持部の底面に形成したミゾに前記別体の枠部の４ヵ所の隅部のうち前記支持部が直接一体的に設けられていない方の隅部の帯状部材を嵌合させて前記支持部の位置決めをすることにより複数並べ、前記支持部の上にフリーアクセスフロアパネルを支持させることを特徴とするフリーアクセスフロア。
【発明の詳細な説明】
【０００１】
【発明の属する技術分野】
本発明は、建築構造物のコンクリート床部分の上面からパネル支持構造を介してフリーアクセスフロアパネルが空間を隔てて設けられるフリーアクセスフロアに関するものである。
【０００２】
【従来の技術】
最近の建築物のオフィスに用いられる室内には、パソコン，ワープロ，コピー機，プリンター等の各種情報機器や、それらの関連機器等をいくつも配備することが多くなってきた。そのような場合に、それらの機器に接続された各種配線や機材等がオフィスの床の上に放置されて乱雑になるのを防止するために、建築構造物のコンクリート床部分の上に空間を隔てて浮上するフリーアクセスフロアパネルを設け、そのフリーアクセスフロアパネルの下の空間に上記各種配線や機材等を収納するようにするフリーアクセスフロアを設ける場合が増えている。
【０００３】
このような浮上するフリーアクセスフロアパネルを有するフリーアクセスフロアとしては、従来は、例えば図１９に示すようなものがある。同図に示す従来のフリーアクセスフロアは、建築構造物のコンクリート床面２０上に支持部材５０を立設し、その支持部材５０の上に、図２０に示すように、フリーアクセスフロアパネル２５の４隅部を載置させて、フリーアクセスフロアの全体を構成するものである。
【０００４】
そして、図１９に示すようなコンクリート床面２０とフリーアクセスフロアパネル２５の間の空間に、前記各種情報機器の各種配線や機材等を収納することにより、フリーアクセスフロアパネル２５の上が各種配線や機材等により乱雑になるのを防止することができるようにしたものである。
【０００５】
このようなフリーアクセスフロアを形成するためには、まず図２１に示すように、コンクリート床面２０上に支持部材５０の位置を出すために、例えば、墨つぼを用いて墨汁を含ませた糸を長く伸ばしてその糸の途中をつまんで弾くこと等により、コンクリート床面２０上に碁盤の目のように多数の位置出し線Ｌを引く。
【０００６】
そして、それらの位置出し線Ｌの交点を支持部材５０の中心と一致させるよう位置合わせし、それから支持部材５０の底面をコンクリート床面２０上にのり付けすることにより、支持部材５０の位置出しと固定を行う。そしてそれらの支持部材５０の上に、フリーアクセスフロアパネル２５の４隅部を載置させることにより、フリーアクセスフロアの全体を構成することができる。
【０００７】
【発明が解決しようとする課題】
しかしながら、上記従来例にあっては、一々墨出しにより位置出し線Ｌを引いて支持部材５０の位置出しをした上で、支持部材５０をコンクリート床面２０上にのり付けしなければならず、そのような作業により工期が延びたり、人件費のコストアップを招く等の問題があった。
【０００８】
そこで本発明は、上記問題点に鑑みて、支持部材の位置の墨出し、のり付け等の位置出し作業の労力を省いて支持部材の位置決めを容易にすることにより施工を容易にすることができるフリーアクセスフロアを提供することを課題とするものである。
【０００９】
【課題を解決するための手段】
上記課題を解決するために、本発明によるフリーアクセスフロアは、
全体としてロの字状になるよう４辺の各辺に帯状部材が配置・連結された枠部と、
前記ロの字状の枠部の４ヵ所の隅部のうちの２ヵ所の隅部に直接一体的に設けられフリーアクセスフロアパネルを支持する支持部とを有し、
前記支持部の床に接する側の底面に、互いに直交する２辺の前記帯状部材の延長方向或いはそれと平行方向の互いに直交する２方向に伸び、帯状部材の厚さや幅とほぼ等しい深さや幅を有し、前記枠部と同じ構成の別体の枠部の４ヵ所の隅部のうち前記支持部が直接一体的に設けられていない方の隅部の帯状部材が深さ方向に嵌合可能なミゾを形成したパネル支持構造を備え、
前記パネル支持構造を、前記支持部の底面に形成したミゾに前記別体の枠部の４ヵ所の隅部のうち前記支持部が直接一体的に設けられていない方の隅部の帯状部材を嵌合させて前記支持部の位置決めをすることにより複数並べ、前記支持部の上にフリーアクセスフロアパネルを支持させる構成としたものである。
【００１０】
このような構成のフリーアクセスフロアによれば、パネル支持構造を、縦・横両方向において１つおきに、かつ隣の列と交互に配置させると共に、支持部の床に接する側の底面のミゾに、その支持部を有するパネル支持構造とは別のパネル支持構造の枠部の４ヵ所の隅部のうち支持部が設けられていない方の隅部の帯状部材を嵌合させることにより、フリーアクセスフロアパネルを支持する支持部を容易に位置決めすることが可能となる。
【００１１】
【発明の実施の形態】
以下、本発明の実施の形態について図面に基づいて説明する。
図１ないし図１６は、本発明の第１の実施の形態に係るフリーアクセスフロアを説明するために参照する図である。
【００１２】
図１はフリーアクセスフロアのパネル支持構造８を示す図である。このパネル支持構造８は、全体として口の字状の枠部１０を有しており、この枠部１０の４辺の各辺は、プラスチック板等の容易に撓まない材料により形成された帯状部材１０ａ，１０ｂにより形成されている。口の字状の枠部１０の４ヵ所の隅部のうちの２ヵ所の隅部には、後述するフリーアクセスフロアパネル２４を支持する支持部１２が設けられている。
【００１３】
すなわち、枠部１０の３辺を構成する帯状部材１０ａは、２ヵ所の隅部において一体的に連続して折れ曲がるよう形成されていて、全体として逆コの字状に一体形成されており、その両端部が２つの支持部１２の底部に一体的に連結されている。また枠部１０の残りの１辺を構成する帯状部材１０ｂは、２ヵ所の支持部１２の間に一直線状に配置されており、その両端部が２つの支持部１２の底部に一体的に連結されている。
【００１４】
支持部１２は、図５に示すように、枠部１０に一体的に形成された支持台受け１４と、この支持台受け１４に受けられて支持される支持台１６と、この支持台１６の上に被せられる支持台キャップ１８との３部品により構成されている。支持台受け１４は、図９に示すように、枠部１０より少し厚い底部１４ａと、この底部１４ａの周部から立ち上がる角筒部１４ｂとを有している。
【００１５】
図８に示すように、底部１４ａの中央部には四角状の孔１４ｃが開いており、底部１４ａのコンクリート床面に接する側の底面には、図８ないし図１０に示すように、互いに直交する２辺の帯状部材１０ａと１０ｂの延長線上の、互いに直交する２方向に伸びるミゾ１４ｄが形成されている。ミゾ１４ｄは、帯状部材１０ａ，１０ｂの厚さや幅とほぼ等しい深さや幅を有し、他のパネル支持構造８の枠部１０の隅部の帯状部材１０ａがミゾ１４ｄの深さ方向に嵌合可能となっている。
【００１６】
支持台受け１４の角筒部１４ｂ内で底部１４ａの上には、図１１に示すような支持台１６（図５参照）が嵌合して収納される。図１１（ａ）は支持台１６の側面図であり、図１１（ｂ）は図１１（ａ）における支持台１６のＢ−Ｂ線断面図である。図１１（ｂ）に示すように、支持台１６の四辺の中央部は四隅部より凹みをもたせて形成され、このようにして支持強度の向上を図っている。
【００１７】
そしてこの支持台１６の上には、図１２に示すような支持台キャップ１８（図５参照）が被さるように嵌合する。図３及び図１２（ａ）に示すように、支持台キャップ１８の上部四隅には位置決めボス１８ａが形成されている。図１２（ｂ）に示すように、支持台キャップ１８の中央部には丸孔１８ｂが形成されており、位置決めボス１８ａの裏側には肉抜き穴１８ｃが形成されている。図１２（ａ）は支持台キャップ１８の側面図であり、図１２（ｂ）は図１２（ａ）における支持台キャップ１８のＢ矢視図である。
【００１８】
このようなフリーアクセスフロアのパネル支持構造８の組立て方法について、以下に説明する。
図１３は、多数のパネル支持構造８を互いに組立てた状態を示す図であり、この組立て状態を説明することにより、パネル支持構造８の組立て方法について説明することとする。同図におけるパネル支持構造８は、枠部１０の、両端部に支持部１２が設けられた帯状部材１０ｂが、図中最も右側において縦に配置されている。
【００１９】
パネル支持構造８の図１３中丸Ａ部は、図１４に示すように、そのパネル支持構造８の左上側斜めの位置に隣合って配置された、他のパネル支持構造８の支持台受け１４のミゾ１４ｄが、先のパネル支持構造８の枠部１０の左上隅部の枠部１０の左下隅部の帯状部材１０ａの上から被さるように嵌合している。
【００２０】
また図１３中、先のパネル支持構造８の丸Ｂ部は、図１５に示すように、先のパネル支持構造８の左下側斜めの位置に隣合って配置された、他のパネル支持構造８の支持台受け１４のミゾ１４ｄが、先のパネル支持構造８の枠部１０の左上隅部の枠部１０の左下隅部の帯状部材１０ａの上から被さるように嵌合している。
【００２１】
このようにしてパネル支持構造８を、図１３に示すように、縦・横両方向において１つおきに、かつ隣の列と交互に配置させると共に、支持部１２の底部のミゾ１４ｄに、他のパネル支持構造８の枠部１０の４ヵ所の隅部のうち支持部１２が設けられていない方の２ヵ所の隅部の帯状部材１０ａを嵌合させることにより、組立てに用いられる多数のパネル支持構造８の、支持部１２の位置を出すために、その墨出し、のり付け等の位置出し作業の労力を省くことができると共に、多数のフリーアクセスフロアパネルをあらかた支持部１２上に載置させてみなくとも、支持部１２の位置決めを容易に行なうことができる。
【００２２】
但しそれだけでは、図１３中丸Ｃ，Ｄ等に示す位置のように都合よく支持部１２が来ない場合があるので、そういう所だけには枠部１０の無い、単独に形成された、底面にミゾ１４ｄが形成された支持部１２を配置することにより、同図中のすべての必要な位置に支持部１２を配置させることができる。
【００２３】
また図１３は、パネル支持構造８の位置が明確に分かるように、パネル支持構造８が配置された部分を斜線で示したが、実際には斜線の有無にかかわらず、枠部１０の帯状部材１０ａや１０ｂで囲まれた部分は、コンクリート床面が直接見える、何もない部分である。
【００２４】
このようにして配置された、多数のパネル支持構造８の支持部１２の上に、図１６に示すように、その支持部１２の支持台キャップ１８の位置決めボス１８ａが嵌合する凹部を裏面に有するフリーアクセスフロアパネル２４の、その凹部を位置決めボス１８ａに嵌合させて、すべてのフリーアクセスフロアパネル２４の４隅部を支持部１２の上に支持させることにより、フリーアクセスフロアの全体を完成させることができる。そしてその上にカーペット２８を敷けばオフィス等の床が出来上がる。
【００２５】
このようなパネル支持構造８を用いたフリーアクセスフロアによれば、パネル支持構造８を、縦・横両方向において１つおきに、かつ隣の列と交互に配置させると共に、支持部１２の床に接する側の底面のミゾに、同じ構成の他のパネル支持構造８の枠部１０の４ヵ所の隅部のうち支持部１２が設けられていない方の隅部の帯状部材１０ａを嵌合させることにより、フリーアクセスフロアパネル２４を支持する支持部１２を容易に位置決めすることが可能となる。
【００２６】
このため、支持部１２の位置の墨出し、のり付け等の位置出し作業の労力を省くことができるので、施工を容易にすることができるため、工期の短縮化や人件費のコストダウンを図ることができる。
【００２７】
また、パネル支持構造８の支持部１２の支持台受け１４、支持台１６や支持台キャップ１８の中央部には互いを貫通する孔があいているので、支持台受け１４のミゾ１４ｄに嵌合する他のパネル支持構造８の枠部１０の隅部の帯状部材１０ａの有無や、その嵌合の適切さの良否を一目で容易に判断することが可能となる。
【００２８】
また、パネル支持構造８の枠部１０のサイズを、用いるフリーアクセスフロアパネル２４のサイズに合わせて自由に製造することができることにより、本発明はいかなるサイズのフリーアクセスフロアパネル２４にも用いることができる。
【００２９】
図１７は、本発明の第２の実施の形態に係るフリーアクセスフロアのパネル支持構造１５を説明するために参照する図である。前記第１の実施の形態においては２つの支持部１２が枠部１０の１つの辺の帯状部材１０ｂの両端部に設けられていたのに対し、この第２の実施の形態においては２つの支持部１２が、枠部１０のＬ字状の２つの辺の帯状部材１０ｃの両端部、すなわち枠部１０の対角線上の２つの隅部に設けられている点において異なるものである。このような第２の実施の形態に係るパネル支持構造１５によっても、前記第１の実施の形態と同様の効果を得ることができる。
【００３０】
図１８は、本発明の第３の実施の形態について説明するために参照する図である。前記第１の実施の形態においては、ミゾ１４ｄが、そのミゾ１４ｄが形成された支持台受け１４に一体的に形成された枠部１０の延長方向に形成された場合について説明したが、この第３の実施の形態においては、支持台受け３４のミゾ３４ｄが、そのミゾ３４ｄが形成された支持台受け３４に一体的に形成された枠部１０の延長方向ではなく、その延長方向と間隔をおいてその延長方向と平行に形成されたものである。このような第３の実施の形態によっても、前記第１の実施の形態と同様の効果を得ることができる。
【００３１】
なお、前記実施の形態においては支持部１２の高さが一定のものの場合について説明したが、本発明は支持部（支持部材）の高さが調整可能なものに適用することも可能である。
【００３２】
以上、本発明の実施の形態について具体的に述べてきたが、本発明は上記の実施の形態に限定されるものではなく、本発明の技術的思想に基づいて、その他にも各種の変更が可能なものである。
【００３３】
【発明の効果】
以上説明したように、本発明のフリーアクセスフロアによれば、パネル支持構造を、縦・横両方向において１つおきに、かつ隣の列と交互に配置させると共に、支持部の床に接する側の底面のミゾに、その支持部を有するパネル支持構造とは別のパネル支持構造の枠部の４ヵ所の隅部のうち支持部が設けられていない方の隅部の帯状部材を嵌合させることにより、フリーアクセスフロアパネルを支持する支持部を容易に位置決めすることが可能となる。
【００３４】
このため、支持部材の位置の墨出し、のり付け等の位置出し作業の労力を省いて支持部材の位置決めを容易にすることができるので、フリーアクセスフロアの施工を容易にすることができる。
【図面の簡単な説明】
【図１】本発明の第１の実施の形態に係るフリーアクセスフロアのパネル支持構造８を示す平面図である。
【図２】図１におけるパネル支持構造８のＩＩ矢視図である。
【図３】図１におけるパネル支持構造８の一方の支持部１２の拡大平面図である。
【図４】図２における支持部１２の拡大側面図である。
【図５】図４における支持部１２の分解側面図である。
【図６】互いに一体的に連結された枠部１０と支持台受け１４の平面図である。
【図７】図６における枠部１０と支持台受け１４のＶＩＩ矢視図である。
【図８】図６における一方の支持台受け１４の拡大平面図である。
【図９】図８における支持台受け１４のＩＸ矢視図である。
【図１０】図９における支持台受け１４のＸ矢視図である。
【図１１】図５における支持台１６を示す図であり、図１１（ａ）は支持台１６の側面図、図１１（ｂ）は図１１（ａ）における支持台１６のＢ−Ｂ線断面図である。
【図１２】図５における支持台キャップ１８を示す図であり、図１２（ａ）は支持台キャップ１８の側面図、図１２（ｂ）は図１２（ａ）における支持台キャップ１８のＢ矢視図である。
【図１３】フリーアクセスフロアのパネル支持構造８を多数コンクリート床面上に並べて配置した状態を示す平面図である。
【図１４】図１３におけるパネル支持構造８が互いに斜めに隣合う丸Ａ部の支持台受け１４のミゾ１４ｄと隣合うパネル支持構造８の枠部１０の隅部の帯状部材１０ａとが嵌合した状態を示す拡大平面図である。
【図１５】図１３におけるパネル支持構造８が互いに斜めに隣合う丸Ｂ部の支持台受け１４のミゾ１４ｄと隣合うパネル支持構造８の枠部１０の隅部の帯状部材１０ａとが嵌合した状態を示す拡大平面図である。
【図１６】パネル支持構造８の支持部１２上にフリーアクセスフロアパネル２４を載置したフリーアクセスフロアの上にカーペット２８を敷いた状態を示す側面図である。
【図１７】本発明の第２の実施の形態に係るパネル支持構造１５を示す平面図である。
【図１８】本発明の第３の実施の形態に係る支持台受け３４の底面図である。
【図１９】従来のフリーアクセスフロアパネル２５を支持部材５０の上に支持させたフリーアクセスフロアを示す側面図である。
【図２０】図１９における支持部材５０の上に支持されたフリーアクセスフロアパネル２５の平面図である。
【図２１】図１９における支持部材５０の位置決めのためにコンクリート床面２０上に引いた位置出し線Ｌを示す平面図である。
【符号の説明】
８  パネル支持構造
１０  枠部
１０ａ，１０ｂ，１０ｃ  帯状部材
１２  支持部
１４  支持台受け
１４ａ  底部
１４ｂ  角筒部
１４ｃ  孔
１４ｄ  ミゾ
１５  パネル支持構造
１６  支持台
１８  支持台キャップ
１８ａ  位置決めボス
１８ｂ  丸孔
１８ｃ  肉抜き穴
２０  コンクリート床面
２４，２５  フリーアクセスフロアパネル
２８  カーペット
３４  支持台受け
３４ａ  底部
３４ｂ  角筒部
３４ｃ  孔
３４ｄ  ミゾ
５０  支持部材
【図１】
0003992863.tif 000002
【図２】
0003992863.tif 000003
【図３】
0003992863.tif 000004
【図４】
0003992863.tif 000005
【図５】
0003992863.tif 000006
【図６】
0003992863.tif 000007
【図７】
0003992863.tif 000008
【図８】
0003992863.tif 000009
【図９】
0003992863.tif 000010
【図１０】
0003992863.tif 000011
【図１１】
0003992863.tif 000012
【図１２】
0003992863.tif 000013
【図１３】
0003992863.tif 000014
【図１４】
0003992863.tif 000015
【図１５】
0003992863.tif 000016
【図１６】
0003992863.tif 000017
【図１７】
0003992863.tif 000018
【図１８】
0003992863.tif 000019
【図１９】
0003992863.tif 000020
【図２０】
0003992863.tif 000021
【図２１】
0003992863.tif 000022